(57)【要約】      （修正有）【課題】支持部材に固定されて用いられる表示パネルを、容易に支持部材から取り外すことができる表示装置を提供する。【解決手段】表示装置は、可撓性を有する基板２の上にマトリクス状に配列された複数の表示素子３ａを備える表示パネル３と、表示パネル３の基板２が載置された表面５ａを備える支持部材５と、表示パネル３を縁取るように表示パネル３の外縁に沿って外縁の一部または全部に設けられていて支持部材５の表面５ａに表示パネル３を保持する保持部材４と、を備えている。保持部材４は、表示パネル３の外周部と係合し、かつ、支持部材５の表面５ａに接合されており、基板２が、保持部材４と支持部材５の表面５ａとの間の接着強度よりも弱い強度で支持部材５の表面５ａに密着している。【選択図】図２
2019049687.tif 000002
【特許請求の範囲】
【請求項１】
可撓性を有する基板の上にマトリクス状に配列された複数の表示素子を備える表示パネルと、
前記表示パネルを縁取るように前記表示パネルの外縁に沿って前記外縁の一部または全部に設けられている保持部材と、を備え、
前記保持部材は可撓性を有しており、
前記基板における前記表示素子に向く面の反対面に、粘着剤から構成される弱粘着層が形成されている、表示装置。
【請求項２】
前記表示素子と前記基板との間および前記表示素子の上に、非透湿性の材料を用いて形成されたバリア膜をさらに備える、請求項１に記載の表示装置。
【請求項３】
前記バリア膜の水蒸気透過度が、１０-4ｇ／ｍ2／日以下である、請求項２に記載の表示装置。
【請求項４】
前記表示素子と前記基板との間に前記バリア膜として第一バリア膜が形成されており、
前記第一バリア膜が、窒化ケイ素膜と酸化ケイ素膜とを含む多層膜である、請求項２または３に記載の表示装置。
【請求項５】
前記表示素子の上に前記バリア膜として第二バリア膜が形成されており、
前記第二バリア膜が、窒化ケイ素膜または窒化酸化ケイ素膜と、有機材料から構成される有機膜とを含む多層膜である、請求項２〜４のいずれか１項に記載の表示装置。
【請求項６】
前記第二バリア膜が、前記窒化ケイ素膜または前記窒化酸化ケイ素膜と前記有機膜との間に酸化ケイ素膜をさらに含んでいる、請求項５に記載の表示装置。
【請求項７】
前記表示パネルの前記基板が、自動車のフロントガラスの表面に載置されるように構成されている、請求項１〜６のいずれか１項に記載の表示装置。
【請求項８】
前記表示パネルの前記基板が、前記フロントガラスの車幅方向の全体にわたって保持されるように構成されている、請求項７に記載の表示装置。
【請求項９】
前記弱粘着層は前記基板と前記フロントガラスとの間に備えられており、
前記基板は前記弱粘着層を介して前記フロントガラスの前記表面に密着している、請求項７または８に記載の表示装置。
【請求項１０】
前記弱粘着層と、前記基板および前記フロントガラスのいずれかまたは両方との密着強度が、０．０２Ｎ／１０ｍｍ以上、５．０Ｎ／１０ｍｍ以下である、請求項９に記載の表示装置。
【請求項１１】
前記弱粘着層に接合されていて前記弱粘着層の粘着力以上の粘着力を有している強粘着層を前記基板と前記フロントガラスとの間にさらに備えている、請求項９または１０に記載の表示装置。
【請求項１２】
前記強粘着層と、前記基板または前記フロントガラスとの密着強度が５．０Ｎ／１０ｍｍ以上、２０Ｎ／１０ｍｍ以下である、請求項１１に記載の表示装置。
【請求項１３】
前記強粘着層が前記弱粘着層と前記基板との間に備えられており、
前記弱粘着層と、前記フロントガラスとの密着強度が、０．０２Ｎ／１０ｍｍ以上、５．０Ｎ／１０ｍｍ以下である、請求項１１または１２に記載の表示装置。
【請求項１４】
前記フロントガラスの前記表面が二次曲面であり、
前記弱粘着層の厚さが、前記二次曲面における湾曲形状に基づいて変化している、請求項９〜１３のいずれか１項に記載の表示装置。
【請求項１５】
前記保持部材と前記フロントガラスの前記表面との間の接着強度が５．０Ｎ／１０ｍｍよりも大きく、１０Ｎ／１０ｍｍ以下である、請求項９〜１４のいずれか１項に記載の表示装置。
【請求項１６】
前記表示パネルが、透光性の材料を用いて形成された透明有機ＥＬ表示パネルである、請求項１〜１５のいずれか１項に記載の表示装置。
【請求項１７】
前記保持部材が透光性の材料を用いて形成され、かつ、透光性の接着剤を用いて前記フロントガラスの前記表面に接合されている、請求項９〜１６のいずれか１項に記載の表示装置。
【請求項１８】
前記保持部材は前記表示パネルを前記外縁の全周に渡って囲む枠状の形状を有しており、
前記保持部材は、前記保持部材における前記枠状の形状の内側および外側に通じる貫通孔または溝と、前記貫通孔または前記溝による通気を防ぐ閉塞部材とを備えている、請求項１〜１７のいずれか１項に記載の表示装置。
【請求項１９】
前記表示パネルに駆動信号を供給するドライバと前記表示パネルとを接続する配線をさらに備え、
前記配線は、その一端において前記表示パネルに接合され、かつ、前記一端と反対の端部において、前記ドライバに備えられたコネクタに適合すべく設けられた端子を備えている、請求項１〜１８のいずれか１項に記載の表示装置。
【発明の詳細な説明】
【技術分野】
【０００１】
本発明は、表示装置に関する。
【背景技術】
【０００２】
近年、液晶表示装置や有機ＥＬ表示装置などの平面型ディスプレイの分野では、薄型化の進展と共に、表示素子の基材として極薄のガラス板やフィルム状の基材を用いた可撓性の表示パネルが普及し始めている。可撓性の表示パネルや厚さの極めて薄い表示パネルは、その用途に適した形状での保形性や機械的強度の付与などのために、たとえば、適度な剛性を有する支持体の表面に貼り付けられて用いられる。たとえば、特許文献１には、デジタルサイネージに用いられる窓ガラスに液晶表示パネルなどの画像表示パネルを貼り合せる方法が開示されている。特許文献１に開示の方法では、弾性体などを介して窓ガラスに対して離間して配置された画像表示パネルが、その一端から他端までのローラーの転動によって弾性変形を伴いながら窓ガラスに向って押圧される。その結果、光硬化性樹脂を含む層を介して画像表示パネルと窓ガラスが貼り合わされる。
【先行技術文献】
【特許文献】
【０００３】
【特許文献１】特開２０１６−９７６５０号公報
【発明の概要】
【発明が解決しようとする課題】
【０００４】
このように従来から、表示パネルは、光や熱などによって硬化する樹脂を含む接着剤を用いて窓ガラスなどの支持体に貼り付けられている。たとえば表示装置の製造において偏光板やタッチパネルの貼り合わせに用いられる接着剤などを用いて、表示パネルと支持体とが強固に接着されている。しかし両者は強固に接着されているため、一旦、支持体に貼り付けられた表示パネルを支持体から取り外すのは極めて困難である。たとえ取り外すことができたとしても、接着剤の残片や表示パネルまたは支持体の残骸がそれぞれの貼り付け面上に残ってしまうため、表示パネルや支持体を容易に再利用することができない。そのため、表示パネルおよび支持体のいずれかだけに欠陥が生じた場合でも、両方を廃棄または交換する必要がある。たとえば支持体が窓ガラスである場合、窓ガラスが割れたときには、たとえ表示パネルが正常であっても窓ガラスと共に表示パネルも廃棄されることになり、表示パネルに瑕疵が生じたときは、表示パネルと共に窓ガラスも廃棄される。特に支持体が自動車のフロントガラスなどである場合には、フロントガラスに貼り付けられている表示パネルの修理をメーカなどに依頼するのは困難なため、修復が可能な場合でさえ、表示パネルおよび高価なフロントガラスの両方の交換が必要になることがある。
【０００５】
そこで、本発明は、支持部材に固定されて用いられる表示パネルを、容易に支持部材から取り外すことができる表示装置を提供することを目的とする。
【課題を解決するための手段】
【０００６】
本発明の実施形態１の表示装置は、可撓性を有する基板の上にマトリクス状に配列された複数の表示素子を備える表示パネルと、前記表示パネルの前記基板が載置された表面を備える支持部材と、前記表示パネルを縁取るように前記表示パネルの外縁に沿って前記外縁の一部または全部に設けられていて前記支持部材の前記表面に前記表示パネルを保持する保持部材と、を備え、前記保持部材は、前記表示パネルの外周部と係合し、かつ、前記支持部材の前記表面に接合されており、前記基板が、前記保持部材と前記支持部材の前記表面との間の接着強度よりも弱い強度で前記支持部材の前記表面に密着している、ことを特徴とする。
【０００７】
また、本発明の実施形態２の表示装置は、可撓性を有する基板の上にマトリクス状に配列された複数の表示素子を備える表示パネルと、前記表示パネルを縁取るように前記表示パネルの外縁に沿って前記外縁の一部または全部に設けられている保持部材と、を備え、前記保持部材は可撓性を有すると共に前記基板よりも高い剛性を有しており、前記基板における前記表示素子に向く面の反対面に、粘着剤から構成される弱粘着層が形成されている、ことを特徴とする。
【発明の効果】
【０００８】
本発明の実施形態によれば、支持部材に固定されて用いられる表示パネルを容易に支持部材から取り外すことができる表示装置が提供される。
【図面の簡単な説明】
【０００９】
【図１】本発明の実施形態１の表示装置の一例を示す正面図である。
【図２】図１のII−II線での断面図である。
【図３】本発明の実施形態１の表示装置において支持部材が自動車のフロントガラスである例を示す図である。
【図４】本発明の実施形態１の表示装置における表示パネルの内部構造およびバリア膜の一例を示す図である。
【図５Ａ】本発明の実施形態１の表示装置における支持部材の表面が二次曲面である例を示す模式図である。
【図５Ｂ】二次曲面に載置された表示パネルの断面を示す図である。
【図６】本発明の実施形態１の表示装置における弱粘着層および強粘着層の一例を示す図である。
【図７Ａ】本発明の実施形態１の表示装置の他の例を示す正面図である。
【図７Ｂ】図７ＡのVIIＢ−VIIＢ線での断面図である。
【図８】本発明の実施形態１の表示装置の他の例を示す断面図である。
【図９Ａ】図２のIXＡ部の拡大図である。
【図９Ｂ】図７ＢのIXＢ部の拡大図である。
【図１０Ａ】本発明の実施形態１の表示装置における保持部材の他の例を示す図である。
【図１０Ｂ】本発明の実施形態１の表示装置における保持部材の他の例を示す図である。
【図１１Ａ】本発明の実施形態２の表示装置を示す正面図である。
【図１１Ｂ】図１１ＡのXIＢ−XIＢ線での断面図である。
【図１２Ａ】本発明の実施形態１の表示装置の製造方法の一例を示す図である。
【図１２Ｂ】図１２Ａの製造方法の一例における表示パネルと保持部材との係合方法の一例を示す図である。
【図１２Ｃ】図１２Ａの製造方法の一例における支持部材に表示パネルを密着させる工程の一例を示す図である。
【図１３】本発明の実施形態１の表示装置の製造方法の他の例を示す図である。
【発明を実施するための形態】
【００１０】
以下、図面を参照し、本発明の表示装置を説明する。なお、以下に説明される実施形態における各構成要素の材質、形状、大きさ、および、それらの相対的な位置関係などは、あくまで例示に過ぎない。本発明の表示装置は、これらによって限定的に解釈されるものではない。
【００１１】
＜実施形態１＞
図１には、実施形態１の表示装置１の平面図が示され、図２には、図１に示されるII−II線における断面図が示されている。図１および図２に示されるように、表示装置１は、可撓性を有する基板２と、基板２の上にマトリクス状に配列された複数の表示素子（画素）３ａを備える表示パネル３と、表示パネル３の基板２が載置された表面５ａを備える支持部材５と、表示パネル３を縁取るように表示パネル３の外縁（図１では破線３ｂで示されている）に沿って設けられていて支持部材５の表面５ａに表示パネル３を保持する保持部材４と、を備えている。保持部材４は、表示パネル３の外縁の一部または全部に設けられる。図１の例では、保持部材４は、表示パネル３の外縁の全部に、すなわち、表示パネル３の外縁に沿ってその外周の全周に渡って設けられており、全体として枠状の形状を有している。枠状の形状を有する保持部材４の内側に表示パネル３の複数の表示素子３ａが露出している。そして保持部材４の内側に所望の画像が表示される。保持部材４は、表示パネル３の外周部と係合し、かつ、支持部材５の表面５ａに接合されている。そして、表示パネル３の基板２が、保持部材４と支持部材５の表面５ａとの間の接着強度よりも弱い強度で支持部材５の表面５ａに密着している。
【００１２】
図１および図２の表示装置１は、粘着剤から構成される弱粘着層６を表示パネル３の基板２と支持部材５との間に備えており、基板２は弱粘着層６を介して支持部材５の表面５ａに密着している。弱粘着層６が基板２と支持部材５の表面５ａとの間に介在することによって、表示パネル３と支持部材５が確実に密着される。従って、表示装置１の使用中における表示パネル３の浮きや、表示パネル３と支持部材５との界面への気泡の巻き込みなどが防止される。しかし、本実施形態の表示装置１は、後述の例のように、弱粘着層６を必ずしも備えていなくてもよい。なお、符号３０は表示素子３ａを保護する封止膜を示している。封止膜３０の一部または全部が、後述の第二バリア膜３８（図４参照）であってもよい。
【００１３】
なお「弱粘着」は、被着体にぴったり付着するものの、剥離方向に力を加えられるだけで、被着体を破損させることなく、また、糊などを付着面に残さずに容易に剥離され得る程度の付着を意味している。
【００１４】
弱粘着層６と基板２および支持部材５のいずれかまたは両方との密着強度は、たとえば、０．０２Ｎ／１０ｍｍ以上、５．０Ｎ／１０ｍｍ以下であり、好ましくは、１．５Ｎ／１０ｍｍ以上、２．０Ｎ／１０ｍｍ以下である。この範囲の密着強度が得られていれば、表示装置１の使用中に表示パネル３が支持部材５から剥離する可能性は低いと考えられる。そして、意図的に表示パネル３を支持部材５から剥離する際には、単に表示パネル３と支持部材５を適度な力で引っ張ったり、界面に薄板を差し込んで空気を入れたりするだけで容易に両者を分離することができると考えられる。
【００１５】
図１および図２の例では、表示パネル３は、画像が表示される面（図１において正面に描かれている面）において矩形の形状を有している。表示パネル３は、その矩形の形状の二つの長辺および二つの短辺のいずれにおいても、側面、上面３ｃ（支持部材５に向く面の反対面）および下面３ｄ（支持部材５に向く面）で保持部材４と当接している。そして、その保持部材４が支持部材５に接合されている。本実施形態では、保持部材４は、接着剤８を用いて、容易に剥離しない接着力で支持部材５に接合されている。そのため、表示パネル３は、支持部材５の表面５ａに沿った任意の方向および表面５ａから離間する方向への動きを保持部材４によって規制され、支持部材５の表面５ａ上の所定の位置に固定されている。なお、図２（および後述の図７Ｂおよび図８）において、各構成要素は、見易さのために、表示パネル３の厚さ方向において適宜誇張して描かれている。従って、厚さに関して各構成要素は他の構成要素と必ずしも正確な比率で描かれていない。
【００１６】
一方、表示パネル３自体は、支持部材５と強固に接合されずに、基板２が支持部材５の表面５ａと密着することによって支持部材５と単に密着している。前述のように、基板２は、保持部材４と支持部材５の表面５ａとの間の接着強度よりも弱い強度で支持部材５の表面５ａに密着している。従って、基板２と支持部材５との密着強度、および、保持部材４と支持部材５との接着強度を適切に選択することによって、通常の使用時には表示パネル３を支持部材５の上に保持しながら、必要に応じて、表示パネル３を容易に支持部材５から取り外すことができる。たとえば、保持部材４がシリコーン樹脂などを用いて形成された弾性体である場合、保持部材４を変形させて表示パネル３を保持部材４から取り外すだけで、表示パネル３を支持部材５から取り外すことができる。保持部材４が容易に変形し得ないものであっても、比較的安価に用意され得る保持部材４を塑性変形または損壊させることによって、表示パネル３や支持部材５に大きなダメージを与えることなく、支持部材５から表示パネル３を取り外すことができる。支持部材５および表示パネル３のいずれかに瑕疵が生じた場合に、瑕疵の無い支持部材５または表示パネル３を再利用することができる。
【００１７】
なお、表示パネル３と支持部材５における「密着」は、両者の付着状態を維持させる作用を受けながら、剥離の起点となるような隙間なく表示パネル３と支持部材５がぴったりくっついている状態を意味している。また、「密着」は、両者の分離のために何ら化学的作用を必要とせず単に剥離方向の力の付加だけで表示パネル３と支持部材５が分離され、かつ、分離後の両者の剥離面に相手方の残骸が残らないような付着状態を意味している。両者の付着状態を維持させる作用としては、たとえば、弱粘着層６による粘着作用が例示される。弱粘着層６が備えられない場合、表示パネル３と支持部材５の付着状態を維持させる作用は、保持部材４と支持部材５との接合によって付加され得る表示パネル３を支持部材５に向って押圧する力、両者の僅かな帯電による静電気作用、両者が一旦接触または近接することによって生じ得る減圧吸着作用やファンデルワールス力などによってもたらされてもよい。しかし、表示パネル３と支持部材５との間の「密着」をもたらすものはこれらに限定されない。
【００１８】
本実施形態では、表示パネル３は、支持部材５に接合されていないが、このように、支持部材５に密着している。そのため、表示パネル３と支持部材５との間の部分的な剥離が防止され得る。たとえば、表示パネル３が、透光性の材料を用いて形成された透明有機ＥＬ表示パネルである場合や、透明液晶表示パネルである場合、表示パネル３と支持部材５との間に剥離箇所があると、人の眼に映る画像にムラが生じ得る。しかし、本実施形態によれば、表示パネル３と支持部材５が密着しているため、そのようなムラを少なくすることができる。
【００１９】
図１および図２の例では、表示パネル３の周縁部は、表示パネル３の外周の全周に渡って、枠状の保持部材４の内壁に設けられた溝４ｄに挿入されている。すなわち、全体として枠状の形状を有する保持部材４の内壁の全周に渡って溝４ｄが設けられている。保持部材４は、その枠状の形状の全ての辺においてＵ字状の断面形状を有している。保持部材４は、その枠状の形状の全周に渡って、接着剤８によって支持部材５と接合されている。
【００２０】
表示装置１は、配線９を備えている。配線９は、表示パネル３に駆動信号を供給するドライバ（図示せず）と表示パネル３とを接続する。配線９は、配線９の一端において表示パネル３に接合されている。配線９の一端は、枠状の保持部材４の内側に露出する表示パネル３の上面３ｃ上に設けられた接続パッド（図示せず）に、異方性導電フィルム（ＡＣＦ）などを用いて接続されている。図１の例では、配線９は、表示パネル３の二つの長辺のうちの一つに沿った部分に接続されている。図２に示されるように、配線９は、表示装置１の側面が向く方向に引き出される場合、枠状の保持部材４の一辺の上方（支持部材５に向う方向と反対方向における領域）を通って引き出される。なお、配線９は、図１の例と異なり、表示パネル３の二つの短辺のうちの一つに沿った部分において、表示パネル３に接続されていてもよい。
【００２１】
配線９としては、ポリイミドやポリエチレンテレフタレートなどの樹脂によって形成された可撓性のフィルムと、このフィルム上に銅などの導電体によって形成された配線パターンとを有するフレキシブル配線基板（ＦＰＣ）が例示される。しかし、配線９はＦＰＣに限定されず、任意の配線部材が配線９に用いられ得る。配線９は、図１の例では、表示パネル３に接続されている一端と反対の端部において端子９１を備えている。端子９１は、前述の図示されないドライバに備えられたコネクタ（図示せず）に適合するように設けられている。すなわち端子９１は、この図示されないコネクタの接触子と、嵌合または単に接触し得る形状および大きさを有している。配線９がたとえばＦＰＣである場合、端子９１は、たとえば、ＦＰＣの端部における、ＦＰＣに備えられる保護膜（カバーレイ）からの配線パターンの露出部である。配線９が個々のケーブルによって構成されている場合、端子９１は、ケーブルを構成する導線の端部に取付けられた、コネクタとの嵌合用の金具であってもよい。そのような端子９１を配線９が備えていると、表示パネル３が支持部材５から取り外されたときに、ドライバと表示パネル３とを容易に分離することができる。なお、配線９は、端子９１に代えて、ドライバに備えられたコネクタに嵌合するコネクタを備えていてもよい。また、配線９は、表示パネル３に接続される一端にコネクタを備えていてもよく、表示パネル３と配線９とが、コネクタの嵌合によって接続されていてもよい。その場合、表示パネル３が破損したときに、配線９を、他の表示パネルに対して再利用することができる。
【００２２】
図３には、本実施形態において、支持部材５が自動車のフロントガラスである例が示されている。すなわち、表示パネル３は、保持部材４によって、支持部材５であるフロントガラスの車室に面する表面上に保持されている。また、図３の例における表示パネル３は、透光性の材料を用いて形成された透明有機ＥＬ表示パネルであり、表示パネル３の図３上、右側の領域では、表示素子３ａ（図１参照）の発光が停止されている。そのため、信号機Ｓ１や各種の道路標識Ｓ２などを含むフロントガラス越しの前方の景色が、表示パネル３の右側の領域に写っている。一方、表示パネル３の図３上、左側の領域には、表示素子３ａを駆動することによって、ナビゲーションシステムによる画像が表示されている。なお、表示パネル３は、図３の例のように、その表示画面において部分的に画像を表示し得るものであってもよく、そのような部分的な表示を為し得ないものであってもよい。また、表示パネル３は、支持部材５であるフロントガラスの任意の位置に保持され得る。たとえばフロントガラスの全幅に相当する横幅を有する表示パネル３が、フロントガラスの上縁部付近や下縁部付近に車幅方向の全体に渡って保持されていてもよい。また、図３に示される表示パネル３に加えてフロントガラスにおける助手席の前方の領域に、図３の表示パネル３と別の表示パネルが、その表示画面を助手席に向けて保持されていてもよい。
【００２３】
図３の例では、配線９は、フロントガラスの上縁において車室の天井部の内装と自動車のルーフの間へと延びている。配線９は、天井部の内装と自動車のルーフとの間に配置されているコネクタ９ａに挿入されている。コネクタ９ａは、表示パネル３に駆動信号を供給するドライバＤＲに連結されている。このような配置にすることによって、配線９の配線長を短くすることができる。また、車室の内部における配線９の露出を少なくすることができる。
【００２４】
なお、表示パネル３には、ナビゲーションシステムによる画像に限らず、任意の画像が表示され得る。たとえば、テレビ画像、ＤＶＤなどの任意の媒体に記録された画像、および、表示パネル３に接続された撮像素子によって撮影された画像などが、表示パネル３に表示されてもよい。
【００２５】
図３の例のように支持部材５が自動車のフロントガラスであり、表示パネル３が透明有機ＥＬ表示パネルである場合、表示素子３ａによる発光を適宜制御することによって、車室の内部（たとえば運転席など）から表示パネル３越しに自動車の前方を見通すこともできるし、任意の情報を表示パネル３に表示させることもできる。そして本実施形態によれば、フロントガラス（支持部材５）および表示パネル３のいずれかが破損した場合には、破損していない表示パネル３またはフロントガラスに大きなダメージを与えずに、表示パネル３をフロントガラスから取り外すことができる。従って、破損していない表示パネル３またはフロントガラスを継続して使用することも可能となり得る。
【００２６】
再度、図１および図２を参照して本実施形態の表示装置１がさらに説明される。保持部材４は、必ずしも、表示パネル３の外周の全周に渡って設けられていなくてもよい。たとえば、図１に示されるように表示パネル３が矩形または正方形の形状を有する場合、保持部材４は、対向する、または、任意の２辺だけに設けられてもよく、任意の３辺もしくは１辺だけに設けられてもよい。たとえば、前述の図３の例において、フロントガラスの上縁に隣接する辺や、ピラーＰに隣接する辺だけに、保持部材４が設けられるのが好ましいことがある。それらの辺は車室の内部の人の目に付き難いと考えられるからである。
【００２７】
保持部材４は、表示パネル３を保持することができる任意の材料で形成される。たとえば、エポキシ樹脂や汎用プラスチックなどの合成樹脂、天然ゴムなどの天然樹脂、およびゴムスポンジなどが、保持部材４の材料として例示される。保持部材４は、好ましくは、可撓性を有する材料で形成される。その場合、後述のように、可撓性を有する表示パネル３を支持部材５の上に載置する場合に、表示パネル３と共に湾曲させることによって、容易に、気泡を巻き込まずに、表示パネル３を支持部材５の上に載置することができる。また、保持部材４は、好ましくは、適度な弾性を有するように形成される。そうすることで、表示パネル３と保持部材４とを係合させる際に、たとえば、保持部材４の溝４ｄに表示パネル３を容易に挿入することができ、また取り外すこともできる。さらに、保持部材４は、好ましくは、透光性の材料を用いて形成される。その理由は、保持部材４が目に付き難いからであり、特に、支持部材５が透光性の材料（例えば、ガラス、透明ポリイミド、ＰＥＴ、ＰＥＮ等）で形成され、表示パネル３が透明有機ＥＬ表示パネルである場合に、表示装置１に保持部材４による不透明部分が生じ難いからである。これらの点から、保持部材４は、透明シリコーンゴムを用いて形成されるのが、特に好ましい。
【００２８】
保持部材４と支持部材５との接合に用いられる接着剤８は、保持部材４を安定して支持部材５に接合できる接着強度を発現し得るものであれば、特に限定されない。任意のエポキシ系接着剤やアクリル系接着剤が接着剤８に用いられ得る。保持部材４は、好ましくは、透光性の接着剤８を用いて支持部材５の表面５ａに接合される。前述のように保持部材４が透光性の材料を用いて形成されている場合、透光性の接着剤８を用いることは特に好ましい。たとえば、光学透明接着剤（ＯＣＡ：Optical Clear Adhesive）や光学透明樹脂（ＯＣＲ：Optical Clear Resin）などと呼ばれる、フィルム状やペースト状のアクリル系やシリコーン系またはウレタン系などの任意の接着剤が、接着剤８に用いられ得る。接着剤８によって得られる保持部材４と支持部材５との間の接着強度は、たとえば、５．０Ｎ／１０ｍｍよりも大きく、１０Ｎ／１０ｍｍ以下である。
【００２９】
表示パネル３としては、前述のように、有機ＥＬ表示パネルや液晶表示パネルが例示される。しかし、表示パネル３は、これらに限定されない。図４には、表示パネル３として用いられる有機ＥＬ表示パネルの構造の一例が拡大して示されている。
【００３０】
図４に示されるように、表示パネル３は、基板２と、基板２の上に形成された複数の表示素子３ａを含んでいる。基板２は、たとえばポリイミド樹脂を用いて形成された樹脂フィルムである。表示パネル３が透明有機ＥＬ表示パネルである場合、基板２の材料には、たとえば透明なポリイミド樹脂が用いられる。各表示素子３ａは、ＴＦＴ（薄膜トランジスタ）３１と、ＴＦＴ３１に接続された第一電極３３と、第一電極３３上に蒸着された有機材料によって形成されていて光を発する有機層３４と、有機層３４の上に形成された第二電極３５と、を有している。各表示素子３ａは、ＳｉＯ2などを用いて形成されたバンク３６によって分離されている。第一電極３３およびバンク３６は、ＴＦＴ３１を覆う平坦化膜３２の上に形成されている。
【００３１】
ＴＦＴ３１は、たとえば、多結晶シリコンなどを用いて形成され、好ましくは、インジウム・ガリウム・亜鉛の酸化物のような、透明アモルファス酸化物半導体により形成される。また、ＴＦＴ３１は、ペンタセン、銅フタロシアニン、フッ素化フタロシアニンなどの有機半導体材料を用いて形成されてもよい。第一電極３３は、たとえば、ＩＴＯ膜などの透光性を備えた導電性材料により形成されている。有機層３４は、図４では１層で示されているが、実際には、正孔輸送層、発光層、電子輸送層などを含む多層構造の積層膜として形成され得る。正孔輸送層はたとえばアミン系材料により形成され、発光層は、たとえば、ホスト材料であるＡｌｑ3やＢＡｌｑなどに、発光色に応じたドーパントをドープすることによって調製された材料を用いて形成され、電子輸送層は、たとえばＡｌｑ3などによって形成される。有機層３４は、さらに、図示されない正孔注入層および電子注入層を含んでいてもよい。第二電極３５は、効率よく電子注入を行うため、たとえばＭｇ−Ａｇ合金層やアルミニウム、またはアルカリ金属やアルカリ土類金属のような仕事関数の小さな金属によって形成され、好ましくは、これらの材料を光の波長よりも十分薄く形成することによって透明性を有するように形成される。なお、図４に示される断面構造は一例に過ぎず、表示パネル３を構成する有機ＥＬ表示パネルの構造や各構成要素の材料は、ここで説明された構造や材料に限定されない。
【００３２】
なお、図示されていないが、表示パネル３が液晶表示パネルである場合は、表示パネル３は、極薄いガラス板などを用いて形成された可撓性を有する第一基板と、第一基板と離間して配置された可撓性を有する第二基板と、第一および第二の基板の間の液晶層とを含んでいる。たとえば、表示パネル３は、第一基板上に形成されたＴＦＴと、このＴＦＴに接続される画素電極と、画素電極上に形成された第一配向膜と、を備えている。さらに、各液晶表示素子は、たとえば、第一基板から離間して配置された第二基板における第一基板を向く面の上に順に設けられた、カラーフィルタ、共通電極、および第二配向膜を備えている。液晶層は、第一および第二の配向膜の間に充填された液晶材料によって構成される。さらに、第一および第二の基板の液晶層を向く面と反対面それぞれには、偏光膜が備えられる。このような液晶表示パネルは、第一基板と支持部材５（図２参照）とが対向するように、支持部材５の上に載置される。なお、本実施形態の表示装置１における表示パネル３を構成し得る液晶表示パネルの構造は、ここで説明された構造に限定されない。可撓性を有する基板を備え、好ましくは透光性の材料で構成される任意の液晶表示パネルが、本実施形態の表示装置１における表示パネル３として用いられ得る。また、第一基板の支持部材５を向く面にエッジライトを備えた可撓性を有する導光シートが、バックライトユニットとして備えられていてもよい。
【００３３】
図４に示されるように、本実施形態の表示装置１は、表示素子３ａと基板２との間、および、表示素子３ａの上に、非透湿性の材料を用いて形成されたバリア膜３７、３８をさらに備えている。図４の例では、表示素子３ａと基板２との間に第一バリア膜３７が形成されている。第一バリア膜３７は、具体的には、ＴＦＴ３１と基板２との間に設けられている。また、表示素子３ａの上に第二バリア膜３８が形成されている。第一バリア膜３７および第二バリア膜３８の水蒸気透過度は、たとえば、１０-4ｇ／ｍ2／日以下である。このように第一および第二のバリア膜３７、３８が設けられることによって、水分との接触に伴って劣化し易い有機層３４が保護されると共に、本実施形態では、表示パネル３の中を通って表示パネル３と支持部材５との界面まで達するような水分の浸透が厳重に防がれる。本実施形態の表示装置１では、表示パネル３と支持部材５（図２参照）とが、弱粘着層６を介して、または直接密着しているが、各要素間の界面に水分や気泡が入り込むと、その界面での密着力が低下することがある。特に、後述の例のように弱粘着層６が備えられていない場合は、少量の水分や気泡の侵入によって密着力が低下することが考えられる。しかし、図４に示される例では、第一バリア膜３７および第二バリア膜３８によって表示パネル３と支持部材５との界面への水分の浸入が防止されるので、一旦、密着状態にされた表示パネル３と支持部材５との間の密着力が維持され易いと考えられる。
【００３４】
図４の例では、第一バリア膜３７は、窒化ケイ素膜３７ａと、酸化ケイ素膜３７ｂとを含む多層膜である。酸化ケイ素膜３７ｂは、二つの窒化ケイ素膜３７ａに挟まれており、第一バリア膜３７は３層構造を有している。窒化ケイ素は水分に対するバリア性能が極めて良好であり、酸化ケイ素は窒化ケイ素よりも柔軟性を有する。従って、第一バリア膜３７を窒化ケイ素膜３７ａと酸化ケイ素膜３８ａとを含む多層膜とすることによって、バリア性能が高く、かつ、クラックなどの生じ難いバリア膜を得ることができる。また、個々の膜において任意の位置に生じ得るピンホールが他の膜によって塞がれるため、いっそう高いバリア性能が得られる。しかし、第一バリア膜３７は、単層膜であってもよい。また、第一バリア膜３７は、一組の窒化ケイ素膜３７ａおよび酸化ケイ素膜３７ｂで構成されるような、３層以外の複数の層を含む多層膜であってもよい。また、第一バリア膜３７は、窒化ケイ素および酸化ケイ素以外の材料を用いて形成されていてもよい。
【００３５】
図４の例では、第二バリア膜３８は、窒化ケイ素膜３８ａと、有機材料から構成される有機膜３８ｃとを含む多層膜である。第二バリア膜３８は、図４の例のように、窒化ケイ素膜３８ａと有機膜３８ｃとの間に、酸化ケイ素膜３８ｂをさらに含んでいてもよい。有機膜３８ｃは、たとえば、エポキシ樹脂やアクリル樹脂を用いて形成され、二つの酸化ケイ素膜３８ｂに挟まれている。そして、二つの酸化ケイ素膜３８ｂそれぞれのさらに外側に窒化ケイ素膜３８ａがそれぞれ形成されており、図４に例示される第二バリア膜３８は５層構造を有している。第二電極３５の直上の窒化ケイ素膜３８ａおよびその直上の酸化ケイ素膜３８ｂの断面形状は、バンク３６と有機層３４との高低差によって凹凸を有する形状となっている。このような凹凸や表示素子３ａの表面に付着した図示されない異物などは、柔軟性を有し得る有機膜３８ｃの内部に埋没し得る。その結果、有機膜３８ｃの上に、窒化ケイ素膜３８ａなどを安定して形成することができる。また、酸化ケイ素膜３８ｂを介在させることによって、窒化ケイ素膜３８ａと有機膜３８ｃとの密着性を向上させることができる。しかし、酸化ケイ素膜３８ｂは必ずしも必要とされる訳ではなく、窒化ケイ素膜３８ａおよび有機膜３８ｃだけが形成されてもよい。また、有機膜３８ｃや酸化ケイ素膜３８ｂは設けられなくてもよい。また、窒化ケイ素膜３８ａに代えて、窒化ケイ素膜３８ａよりも早く成膜され得る窒化酸化ケイ素膜が設けられていてもよい。第二バリア膜３８は、単層膜であってもよく、５層以外の複数の層を含む多層膜であってもよい。また、第二バリア膜３８は、窒化ケイ素および酸化ケイ素以外の無機材料（例えば窒化酸化ケイ素、アルミナ等）や、エポキシ樹脂やアクリル樹脂以外の有機材料（例えばシリコーン樹脂、ウレタン樹脂等）を用いて形成されていてもよい。
【００３６】
第一バリア膜３７の厚さ、および有機膜３８ｃを含まない場合の第二バリア膜３８の厚さは、たとえば、５００ｎｍ以上であって、好ましくは、１μｍ以上、３μｍ以下である。第一バリア膜３７および第二バリア膜３８がこのような厚さを有していると、水分に対する十分なバリア性能が得られると共に、各バリア膜にクラックが入り難く、さらに、光の透過率への影響も少ないと考えられる。窒化ケイ素膜３７ａ、３８ａの厚さは、たとえば、５００ｎｍ以上、１．５μｍ以下であり、有機膜３８ｃの厚さは、たとえば、１０μｍ程度である。有機膜３８ｃと窒化ケイ素膜３８ａの間の酸化ケイ素膜３８ｂの厚さは、たとえば、１０ｎｍ以上、３０ｎｍ以下である。
【００３７】
支持部材５は、可撓性を有し得る表示パネル３を適切に支持し得るものであれば、その形状や材料について特に限定されない。たとえば、ガラス、金属、および合成樹脂などの任意の素材が、支持部材５に用いられ得る。また、支持部材５は、他の各種の装置、機器、用具または構造物を構成する任意の部材またはその一部であってもよい。たとえば、支持部材５は、住居の窓やショーウィンドウまたは展示用ケースなどに用いられているガラス板であってもよく、各種機器の筐体や、建造物の内壁や外壁を構成する部材であってもよい。そして、支持部材５は、前述のように、自動車のフロントガラスであってもよい。
【００３８】
支持部材５が自動車のフロントガラスである場合、表示パネル３が載置される支持部材５の表面５ａは、図５Ａに示されるように二次曲面であり得る。図５Ａは、表示パネル３、および、二次曲面である表面５ａを有する支持部材５を模式的に示している。また、図５Ｂには、二次曲面である表面５ａに載置された表示パネル３と支持部材５を表示パネル３の厚さ方向と平行な平面で切断して得られる断面が概略的に示されている。図５Ａにおいて、支持部材５は、Ｘ方向およびＹ方向の両方において表面５ａが凹面となるように湾曲している。また、可撓性を有し得る表示パネル３も、支持部材５の湾曲形状に追随して湾曲している。しかし、支持部材５の表面５ａが二次曲面であるため、表示パネル３は、支持部材５の湾曲形状と同じようには撓み得ないものと推察される。その場合、表示パネル３において、支持部材５から浮き上がる部分が生じ得る。
【００３９】
しかし、本実施形態では、図５Ｂに示されるように、表示パネル３内での位置毎に、弱粘着層６の厚さＴ６が二次曲面の湾曲形状に基づいて変化し、それにより、表示パネル３と支持部材５との間の弱粘着層６を介した密着状態を確保することができる。弱粘着層６は、表示パネル３と係合する保持部材４が支持部材５に接合されるときに、表示パネル３と支持部材５における湾曲形状の違いのために、表示パネル３に面する面内において不均一な圧力で加圧される。そのため、弱粘着層６は、表示パネル３と支持部材５の間隔が狭い部分では、両者の間隔が広い部分よりも多く収縮し得る。また、弱粘着層６を構成する弱粘着剤のうち表示パネル３と支持部材５の間隔が狭い部分に存在する弱粘着剤は、両者の間隔が広い部分に押し出され得る。その結果、弱粘着層６の厚さＴ６が、支持部材５の表面５ａにおける二次曲面の湾曲形状に基づいて、表示パネル３内での位置毎に変化し得る。このように弱粘着層６を備えることによって、支持部材５の表面５ａが二次曲面であっても、表示パネル３と支持部材５とを密着させることが可能になる。
【００４０】
弱粘着層６は、たとえば、アクリル系、シリコーン系またはウレタン系の樹脂を単独で、または複数組み合わせて主成分として含む粘着剤から構成される。アクリル系の樹脂は、対候性および耐熱性に優れており、さらに透明性にも優れている。前述のように、表示パネル３が透明有機ＥＬ表示パネルや透明液晶表示パネルであり、支持部材５がガラス板などである場合、透明性の高い弱粘着層６は、表示装置１の透光性への影響が少ない点で好ましい。シリコーン系の樹脂も対候性および透明性に優れ、さらに耐熱性に特に優れていて黄変し難いため、弱粘着層６の材料として好ましい。弱粘着層６は、たとえば粘着剤を所定の形状に成形することによって形成された弱粘着シートを、表示パネル３と支持部材５の間に配置することによって形成される。
【００４１】
図６には、本実施形態における基板２と支持部材５との界面部の他の例が拡大して示されている。図６の例では、弱粘着層６に加えて、弱粘着層６の粘着力以上の粘着力を有している強粘着層７が、基板２と支持部材５との間にさらに備えられている。強粘着層７は、弱粘着層６と基板２との間に備えられ、基板２と密着している。一方、弱粘着層６は、強粘着層７と支持部材５との間に備えられ、支持部材５と密着している。表示パネル３は、弱粘着層６および強粘着層７を介して、支持部材５の表面５ａに密着している。強粘着層７は基材７ａを介して弱粘着層６と接合されている。強粘着層７は、基材７ａなどを介さずに弱粘着層６に直接接合されていてもよい。強粘着層７と弱粘着層６とは、少なくとも、弱粘着層６と支持部材５との密着力よりも強い強度で、直接または基材７ａを介して接合されている。図６の例では、このように弱粘着層６と接合された強粘着層７が備えられているため、弱粘着層６を確実に基板２、すなわち表示パネル３に付着させた状態で、表示パネル３を支持部材５から取り外すことができる。
【００４２】
なお、図６の例と異なり、強粘着層７が、弱粘着層６と支持部材５との間に備えられることによって支持部材５と密着し、弱粘着層６が、強粘着層７と基板２との間に備えられることによって基板２と密着していてもよい。この場合、弱粘着層６を確実に支持部材５に付着させた状態で表示パネル３を支持部材５から取り外すことができる。強粘着層７は、好ましくは、表示パネル３および支持部材５のうちの故障率の低い方に密着される。強粘着層７を備えることによって、表示パネル３および支持部材５のどちらに弱粘着層６が残るかが明確になるため、表示パネル３の交換時の作業性が向上することがある。
【００４３】
強粘着層７と、基板２、または支持部材５の表面５ａとの密着強度は、たとえば、２．５Ｎ／１０ｍｍ以上、２０Ｎ／１０ｍｍ以下であり、好ましくは、５．０Ｎ／１０ｍｍ以上、２０Ｎ／１０ｍｍ以下である。図６の例のように、強粘着層７が基板２と密着しているときの弱粘着層６と支持部材５との密着強度は、前述のように、たとえば、０．０２Ｎ／１０ｍｍ以上、５．０Ｎ／１０ｍｍ以下である。ただし、強粘着層７と基板２との密着強度は、その基板２が載置される支持部材５の表面５ａと弱粘着層６との密着強度よりも大きく、強粘着層７と支持部材５の表面５ａとの密着強度は、その支持部材５の上に載置される基板２と弱粘着層６との密着強度よりも大きい。このような密着強度が得られていれば、弱粘着層６を確実に所望の要素（表示パネル３または支持部材５）に付着させた状態で表示パネル３を取り外すことができる。弱粘着層６は、たとえば、ポリエチレンテレフタレートなどを用いて形成されるフィルム状の基材７ａの第一面に設けられ、基材７ａにおける第一面の反対面である第二面に強粘着層７が設けられる。そして、弱粘着層６および強粘着層７は、基材７ａを含む３層構造の両面粘着シートの状態で、表示パネル３と支持部材５との間に配置されてもよい。
【００４４】
図７Ａおよび図７Ｂには、実施形態１の表示装置１の他の例が示されている。図７Ａおよび図７Ｂの例は、弱粘着層６（図２参照）が設けられない例である。なお、図７Ａ、図７Ｂおよび後述の図８において、図１および図２と同様の構成要素については同一の符号が付され、その詳細な説明は適宜省略される。表示パネル３は、弱粘着層６による粘着作用ではなく、前述のように、保持部材４による押圧、静電気作用、減圧吸着作用などによって支持部材５に密着されていてもよい。また、図７Ａおよび図７Ｂの例では、保持部材４は、表示パネル３の外周部において、表示パネル３の上面３ｃおよび側面とだけ当接しており、表示パネル３の下面３ｄとは当接していない。すなわち、全体として枠状の形状の保持部材４は、その各辺において、略Ｌ字型の輪郭の断面形状を有しており、Ｌ字型の形状の内側を向く二つの面において表示パネル３の上面３ｃおよび側面と当接している。そして、表示パネル３の基板２は、下面３ｄの全面において支持部材５に密着している。
【００４５】
また、保持部材４は、配線９と対向する部分において、その枠状の形状の軸方向の厚さに関して他の部分より薄くすることによって設けられている凹部４ａを備えている。そして、この凹部４ａに、配線９と表示パネル３との接続部が収容されており、配線９は、凹部４ａから表示装置１の外部に引き出されている。配線９と表示パネル３との接続部が、保持部材４によって外的なストレスから保護され得る。また、配線９と表示パネル３との接続部が保持部材４の内部に隠れることによって表示装置１の美観が向上することがある。保持部材４は各辺において支持部材５と表示パネル３との間に介在する部分を有していないので、保持部材４を表示パネル３の上面３ｃの上方から、容易に表示パネル３に組み合わせることができる。従って、配線９と表示パネル３との接続部を凹部４ａ内に容易に収容することができる。なお、図示されていないが、エポキシ樹脂などから構成される保護部材によって、配線９と表示パネル３との接続部が被覆されていてもよい。
【００４６】
図８には、図７Ａおよび図７Ｂに示されるような各辺においてＬ字型の断面形状を有する保持部材４と弱粘着層６とを備える表示装置１の例が示されている。図８に示される例においても、図７Ａおよび図７Ｂの例と同様に、保持部材４は、表示パネル３の上面３ｃおよび側面とだけ当接している。そして、基板２、すなわち、表示パネル３の下面３ｄは、保持部材４と接することなく、弱粘着層６を介して支持部材５の表面５ａと密着している。また、図８の例の保持部材４にも、配線９と相対する部分において凹部４ａが形成されており、配線９と表示パネル３との接続部が凹部４ａに収容されている。
【００４７】
図９Ａには、図２におけるIXＡ部の拡大図が示されている。保持部材４の各部の寸法は、弱粘着層６と表示パネル３および支持部材５とが確実に接するように決定される。たとえば、保持部材４における表示パネル３と支持部材５との間の部分の厚さＴ４１は、表示パネル３に問題となる反りなどが生じないように、弱粘着層６の厚さＴ６に基づいて、かつ、必要に応じて接着剤８の厚さをも適宜勘案して設定される。たとえば、保持部材４における厚さＴ４１は、０．２×Ｔ６以上、１．０×Ｔ６以下である。厚さＴ４１がそのような厚さである場合、表示パネル３が弱粘着層６から容易に浮き上がることなく、かつ、表示パネル３が安定して保持されると考えられる。また、溝４ｄの幅Ｗ４ｄは、０．９×Ｔ３以上、１．０×Ｔ３以下である。なお、Ｔ３は表示パネル３の厚さである。溝４ｄの幅がこのような範囲であれば、弱粘着層６からの表示パネル３の浮き上がりが効果的に防止されると共に、表示パネル３の周縁部に過度なストレスが加わらないと考えられる。
【００４８】
また、保持部材４の各辺の幅Ｗ４は、たとえば、０．０１×Ｌ３以上、０．２×Ｌ３以下であり、好ましくは、０．０２×Ｌ３以上、０．０５×Ｌ３以下である。なお、Ｌ３は、保持部材４の各辺の幅Ｗ４の方向における表示パネル３の長さ（幅）である。保持部材４の各辺がこのような幅を有していれば、接着剤８の接着力によって保持部材４および表示パネル３が支持部材５の表面５ａの上に確実に保持されると共に、ユーザの視界において保持部材４が目立ち難いと考えられる。また、枠状の保持部材４の各辺において、溝４ｄの対向する二つの内壁を構成すると共に表示パネル３に当接する一対の当接部それぞれの長さＷ４ＵおよびＷ４Ｌは、たとえば、３．０×Ｔ３以上、８．０×Ｔ３以下である（図９Ａでは、長さＷ４Ｕ、Ｗ４Ｌと、表示パネル３の厚さＴ３とを正確な比率で示すことは意図されていない）。このような長さを有する当接部によって、表示パネル３が確実に保持されると考えられる。なお、表示パネル３の上面３ｃに面して枠状の保持部材４の内側に延びる当接部の長さＷ４Ｕと、表示パネル３の下面３ｄに面して枠状の保持部材４の内側に延びる当接部の長さＷ４Ｌは、異なっていてもよい。その場合、後述のように、表示パネル３の周縁に保持部材４を取り付け易いことがある。
【００４９】
また、図９Ｂには、図７ＢにおけるIXＢ部の拡大図が示されている。図７Ｂに示される表示装置１では、図９Ｂにおける寸法Ｌ１を適切な長さに設定することによって、表示パネル３を支持部材５に向って押圧することができる。それにより、表示パネル３と支持部材５とを密着させることができる。なお、寸法Ｌ１は、保持部材４における支持部材５に向けられる面４ｂから、表示パネル３の上面３ｃとの当接面４ｃまでの長さである。ここで、表示パネル３を１ｈＰａ（Ｆａ１）以上、１０１３ｈＰａ（Ｆａ２）以下の圧力で押圧すると、表示パネル３に過剰な負荷を与えることなく、表示パネル３と支持部材５とを適切に密着させることができる。従って、接着剤８の厚さが無視できる程度に薄い場合は、寸法Ｌ１を、Ｔ３×Ｅ４／（Ｆａ２×Ａ３／Ａ４＋Ｅ４）ｍｍ以上、Ｔ３×Ｅ４／（Ｆａ１×Ａ３／Ａ４＋Ｅ４）ｍｍ以下の長さにすることによって、保持部材４で表示パネル３を適切に押圧することができる。なお、Ｔ３は表示パネル３の厚さ（単位：ｍｍ）であり、Ｅ４は保持部材４のヤング率（単位：ｈＰａ）であり、Ａ３は、表示パネル３の面積（単位：ｍ2）である。また、Ａ４は、保持部材４が表示パネル３と係合した状態で支持部材５に接合されているときに保持部材４において伸長する部分の断面積（たとえば図７Ｂにおける矢印Ｃでの保持部材４の断面積）（単位：ｍ2）である。
【００５０】
保持部材４の各辺の断面形状は、図２、図７Ｂ、および図８に示される形状に限定されず、表示パネル３の周縁部と係合し得る任意の形状であってよい。たとえば、保持部材４は、その各辺において、Ｕ字型やＬ字型などの、表示パネル３との係合に適した断面形状を特に備えていなくてもよい。たとえば、保持部材４が弾性体である場合、表示パネル３との係合時に表示パネル３の端縁が保持部材４の内壁に食い込むことによって表示パネル３が保持されてもよい。また、保持部材４は、単に、その内壁と表示パネル３の端縁との間の摩擦力によって表示パネル３を保持してもよい。
【００５１】
前述の図１および図２に示される例では、保持部材４は表示パネル３をその外縁の全周に渡って囲む枠状の形状を有している。そして、保持部材４と、支持部材５と、表示パネル３によって囲まれた空間Ｓ（図２および図９Ａ参照）が表示パネル３と支持部材５との間に形成され、空間Ｓの内部に弱粘着層６が配置されている。空間Ｓは、保持部材４と表示パネル３とが気密に当接され、かつ、保持部材４と支持部材５とが気密に接合されることによって気密空間となり得る。その場合、弱粘着層６と表示パネル３および支持部材５との界面への水や空気の浸透が起こり難く、それらの界面における剥離が起こり難いと考えられる。
【００５２】
さらに、空間Ｓが形成されるような構造の場合、空間Ｓの内部の空気を表示装置１の外部に排出することによって、表示パネル３と支持部材５とを一層強固に密着させることができる。また、空間Ｓの内部の空気やその中の水分が、弱粘着層６と表示パネル３または支持部材５との界面に入り込むことも少なくすることができる。保持部材４は、そのような空間Ｓの内部の空気の排出のための手段を備えていてもよい。図１０Ａおよび図１０Ｂに、そのような手段を備えた保持部材４の例が示されている。
【００５３】
図１０Ａおよび図１０Ｂには、全体として枠状の形状の保持部材４における任意の一辺の断面が示されている。図１０Ａに示される例では、保持部材４は、保持部材４における枠状の形状の内側および外側に通じる貫通孔４１ａを備えている。貫通孔４１ａによって、空間Ｓの空気を排出するための吸気口が形成されている。貫通孔４１ａは、保持部材４の上面および枠状の保持部材４の内壁面に開口を有しており、Ｌ字状の断面形状を有している。なお、貫通孔４１ａは、保持部材４の外壁面と内壁面との間で保持部材を貫通するものであってもよい。保持部材４は、さらに、貫通孔４１ａによる通気を防ぐ閉塞部材４４を、貫通孔４１ａにおける保持部材４の上面付近に備えている。
【００５４】
また、図１０Ｂに示される例では、保持部材４は、保持部材４の上面と下面に開口を有する貫通孔４１ｂと、保持部材４の下面に沿って形成されていて貫通孔４１ｂに繋げられている溝４２とを備えている。溝４２および貫通孔４１ｂは保持部材４の内側および外側に通じており、溝４２および貫通孔４１ｂによって、空間Ｓの空気を排出するための吸気口が形成されている。保持部材４は、さらに、貫通孔４１ｂおよび溝４２による通気を防ぐ閉塞部材４４を、貫通孔４１ｂにおける保持部材４の上面付近に備えている。
【００５５】
図１０Ａおよび図１０Ｂの例では、閉塞部材４４は、閉塞部材４４を貫く通気路４４ａを有する弾性体であり、貫通孔４１ａ、４１ｂの内部に圧入されている。閉塞部材４４は、たとえば、天然ゴム、ブタジエンゴムやスチレン・ブタジエンゴムなどの合成ゴム、またはシリコーンゴムなどによって形成され得る。通気路４４ａは、閉塞部材４４が貫通孔４１ａ、４１ｂ内に圧入されることによって周囲の閉塞部材４４の内壁に圧迫され、通常は閉塞している。そのため、通常時は、貫通孔４１ａ、４１ｂおよび溝４２による通気が閉塞部材４４によって防がれている。空間Ｓの内部の空気が排出されるときは、針などの細身の管材（図示せず）が、周囲の閉塞部材４４の内壁を押し退けながら通気路４４ａに挿入される。そして、図示されないポンプなどを用いて、通気路４４ａに挿入された針などの管材を介して空間Ｓの内部の空気が排出され得る。
【００５６】
なお、図１０Ａおよび図１０Ｂに示される閉塞部材４４は単なる一例に過ぎず、閉塞部材４４は、これらの図面に示される例と異なる構造を有していてもよい。たとえば、閉塞部材４４は、貫通孔４１ａ、４１ｂの開口への着脱が可能なように用意された蓋材であってもよい。また、閉塞部材４４は、貫通孔４１ａ、４１ｂの内部に配置され、負圧状態にされた空間Ｓに引かれた際に、貫通孔４１ａ、４１ｂの内壁に設けられた段差部分に当接することによって貫通孔４１ａ、４１ｂを閉塞する逆止弁であってもよい。
【００５７】
＜実施形態２＞
つぎに、実施形態２の表示装置について、実施形態２の一例である表示装置１ａを示す図１１Ａおよび図１１Ｂを参照して説明する。なお、図１１Ａおよび図１１Ｂにおいて、実施形態１の表示装置１に備えられている構成要素と同様の構成要素には同じ符号が付され、その詳細な説明は、適宜省略される。
【００５８】
実施形態２の表示装置１ａは、可撓性を有する基板２と、基板２の上にマトリクス状に配列された複数の表示素子３ａを備える表示パネル３と、表示パネル３を縁取るように表示パネル３の外縁に沿って設けられていている保持部材４と、を備えている。保持部材４は、表示パネル３の外縁の一部または全部に設けられる。図１１Ａの例では、保持部材４は、表示パネル３の外縁の全部に設けられており、全体として枠状の形状を有している。保持部材４は可撓性を有すると共に基板２よりも高い剛性を有している。また、基板２における表示素子３に向く面の反対面に、粘着剤から構成される弱粘着層６が形成されている。弱粘着層６は、たとえば、アクリル系、シリコーン系またはウレタン系の樹脂を単独で、または複数組み合わせて主成分として含む粘着剤から構成される。図１１Ａおよび図１１Ｂに示されるように、実施形態２の表示装置１ａは、実施形態１の表示装置１と異なり、支持部材５を備えていない。この点を除いて、実施形態２の表示装置１ａは、図１および図２に示される実施形態１の表示装置１と略同じ構造を有している。
【００５９】
表示装置１ａは、可撓性を有し得る表示パネル３を支持する部材を備えていないため、たとえば、任意のガラス板や各物品または建造物などの外部の支持体に載置されて用いられる。しかし、可撓性を有し得る表示パネル３は十分な保形性を有し難いため、外部の支持体に支持されるまで、その取り扱いが煩雑となる場合がある。そこで、実施形態２の表示装置１ａは、表示パネル３が外部の支持体に支持されるまで容易に取り扱われ得るように、少なくとも基板２よりも高い剛性を有する保持部材４を備えている。
【００６０】
また、表示パネル３が外部の支持体に載置される際は、表示パネル３と外部の支持体との間に気泡などが巻き込まれないように、表示パネル３は、撓まされながら、その一端から順に外部の支持体に載置される（図１２Ｃ）。実施形態２の表示装置１ａは、たとえば、そのような方法が用いられ得るように、可撓性を有する保持部材４を備えている。
【００６１】
前述のように、実施形態１の保持部材４は、任意の合成樹脂や天然樹脂などによって形成され、好ましくは透明シリコーンゴムを用いて形成される。このような各種の材料は、保持部材４の形状に成型された場合に、たとえば約１０μｍの程度の厚さのポリイミドフィルムを用いて形成された基板２よりも高い剛性を十分に発現し得ると考えられる。また、各種ゴムやシリコーン樹脂は可撓性を有し得る。従って、実施形態２の表示装置１ａにおける保持部材４も、実施形態１の保持部材４の材料と同様の材料であって、可撓性および基板２よりも高い剛性を発現し得る任意の材料を用いて形成され得る。
【００６２】
また、実施形態２の表示装置１ａは、外部の任意の支持体に載置された場合でも、その支持体と良好に密着し得ることが好ましい。そこで、本実施形態の表示装置１ａは、弱粘着層６を備えている。そのため、たとえば、外部の支持体が表示パネル３と密着し難い性状や表面状態を有していても、表示パネル３と外部の支持体とが密着し易い。しかも、両者は弱粘着層６を介して密着するため、表示装置１ａの使用後には、表示パネル３をその支持体から容易に取り外して、別の支持体に載置して使用することができる。
【００６３】
実施形態２の表示装置１ａを構成する個々の構成要素は、実施形態１の表示装置１において同じ符号が付された各構成要素と同様の構造を有し、同様の材料を用いて形成され得る。また、前述の実施形態１の説明において説明された各変形例は、支持部材５に関するものを除いて、実施形態２の表示装置１ａにも適用され得る。たとえば、実施形態２の表示装置１ａが第一バリア膜３７および第二バリア膜３８（図４参照）を備えていてもよく、表示装置１ａの弱粘着層６に強粘着層７（図６参照）が接合されていてもよい。また、表示装置１ａの保持部材４が図７Ｂや図８に示される断面形状を有していてもよく、従って配線９と表示パネル３との接続部が保持部材４に設けられた凹部４ａ（図７Ｂ参照）に収容されていてもよい。
【００６４】
＜製造方法＞
実施形態１の表示装置の製造方法について図１２Ａ〜図１２Ｃおよび図１３を参照して説明する。
【００６５】
図１２Ａに示されるように、実施形態１の表示装置の製造方法は、可撓性を有する基板２の上に複数の表示素子３ａを形成することによって表示パネル３を形成し、表示パネル３の外縁に沿ってその外縁の一部または全部に、表示パネル３の外周部と係合する保持部材４を設けることを含んでいる。図１２Ａは、表示パネル３の外縁の全部に保持部材４を設ける例を示している。実施形態１の表示装置の製造方法は、さらに、表示パネル３の基板２が載置されるべき表面５ａを有する支持部材５を用意し、支持部材５の表面５ａに保持部材４を接合し、基板２を、保持部材４と支持部材５の表面５ａとの間の接着強度よりも弱い強度で、支持部材５の表面５ａに密着させる、ことを含んでいる。以下、さらに詳細に説明する。
【００６６】
まず、表示パネル３の形成について、前述の図４を参照して説明する。表示パネル３としては、有機ＥＬ表示パネルや液晶表示パネルが例示される。表示パネル３として有機ＥＬ表示パネルが形成される場合、ポリイミド樹脂などを用いてスロットダイコーティング法などによって形成された可撓性の基板２の上に、ＴＦＴ３１や有機層３４を含む有機ＥＬ表示素子（表示素子３ａ）が形成される。この際、好ましくは、基板２と表示素子３ａとの間に、非透湿性の材料を用いて少なくとも２層の膜を積層することによって第一バリア膜３７が形成される。非透湿性の材料としては、窒化ケイ素および酸化ケイ素が例示される。図４の例では、基板２の上に３層の膜（酸化ケイ素膜３７ｂおよび酸化ケイ素膜３７ｂの上下両側における各窒化ケイ素膜３７ａ）を形成することによって第一バリア膜３７が形成されている。窒化ケイ素膜３７ａや酸化ケイ素膜３７ｂは、たとえば、プラズマ励起化学気相成長（ＰＥＣＶＤ）法やスパッタリング法などによって形成される。
【００６７】
その後、第一バリア膜３７上に、複数の有機ＥＬ表示素子が形成される。有機ＥＬ表示素子を構成するＴＦＴ３１や、第一および第二の電極３３、３５ならびに有機層３４は、周知の方法を含む任意の方法で形成され得るため、その詳細な説明は省略する。また、表示パネル３として液晶表示パネルが形成される場合は、液晶表示素子を構成する各電極や配向膜および偏光膜ならびに液晶層は周知の方法を含む任意の方法で形成され得る。従って、その詳細な説明は省略する。
【００６８】
表示素子３ａの形成後、好ましくは、表示素子３ａの上に、非透湿性の材料を用いて少なくとも２層の膜を積層することによって第二バリア膜３８が形成される。非透湿性の材料としては、窒化ケイ素、酸化ケイ素および窒化酸化ケイ素が例示される。図４の例では、表示素子３ａの上に、順に、窒化ケイ素膜３８ａ、酸化ケイ素膜３８ｂ、さらに有機膜３８ｃが形成され、再度、酸化ケイ素膜３８ｂおよび窒化ケイ素膜３８ａが形成されている。有機膜３８ｃは、たとえば、インクジェットプリンタを用いてエポキシ樹脂やアクリル樹脂を印刷することによって形成される。窒化ケイ素膜３７ａや酸化ケイ素膜３７ｂは、たとえば、ＰＥＣＶＤ法やスパッタリング法などによって形成される。なお、第二バリア膜３８が形成される場合に、たとえば、窒化ケイ素膜３８ａおよび有機膜３８ｃだけが形成されてもよい。このように、実施形態１の表示装置の製造方法では、好ましくは、基板２と表示素子３ａとの間および表示素子３ａの上のいずれかまたは両方にバリア膜（第一バリア膜３７および第二バリア膜３８）が形成される。
【００６９】
再度、図１２Ａを参照して、実施形態１の表示装置の製造方法について説明する。保持部材４を表示パネルの外縁に設ける前に、好ましくは、たとえばＦＰＣによって構成される配線９が用意され、表示パネル３に配線９が接続される。具体的には、配線９の一端と、導電性材料を用いて表示パネル３に設けられた接続パッド３ｅとが、電気的および機械的に接続される。たとえば、異方性導電フィルム（ＡＣＦ）を配線９と表示パネル３との間に挟んだ状態で加圧および加熱することによって配線９と表示パネル３とが接続される。保持部材４が表示パネル３に設けられる前であれば、配線９と表示パネル３を容易に加圧することができるし、保持部材４の耐熱性に制限されずに加熱することができる。
【００７０】
このように、好ましくは、配線９が表示パネル３に接続された後に、表示パネル３の外縁に、表示パネル３の外周部と係合する保持部材４が設けられる。保持部材４は、好ましくは、表示パネル３の外縁の全周に渡って枠状に設けられる。たとえば、図１２Ａに示されるように、全体として枠状の形状に形成され、内壁に溝４ｄを有する保持部材４が用意される。そして溝４ｄに表示パネル３の周縁部が挿入される。溝４ｄを備える保持部材４は、たとえば、合成樹脂や天然樹脂を成型加工することによって用意される。保持部材４は、好ましくは、シリコーン樹脂などを用いて弾性および可撓性を有するように形成される。保持部材４は、好ましくは、表示パネル３における配線９が接続された面の反対面と対向する位置から、表示パネル３に係合される。配線９が表示パネル３に既に接続されていても、溝４ｄに表示パネル３の周縁部を挿入することができる。また、保持部材４が弾性や可撓性を有していると、図１２Ｂに示されるように、表示パネル３の周縁部を溝４ｄに挿入する際に、保持部材４を変形させることによって溝４ｄにパネル３の周縁部を容易に挿入することができる。なお、枠状の保持部材４の各辺において、溝４ｄの対向する二つの内壁を構成すると共に枠状の保持部材４の内側に延びる一対の当接部それぞれの長さＷ４ＵとＷ４Ｌとが異なっていてもよい。その場合、図１２Ｂに示されるように溝４に表示パネル３の周縁部を挿入する際に、短い方の当接部を長い方の当接部よりも後から表示パネル３に宛てがうことによって、いっそう容易に表示パネル３の周縁部を溝４ｄに挿入することができる。
【００７１】
つぎに、表示パネル３の基板２が載置されるべき表面５ａを有する支持部材５が用意され、支持部材５の表面５ａに保持部材４が接合される。そして、好ましくはその接合と共に、表示パネル３の基板２が支持部材５の表面５ａに密着される。基板２は、保持部材４と支持部材５の表面５ａとの間の接着強度よりも弱い強度で密着される。支持部材５は、ガラス、金属、および樹脂などの任意の材料を任意の方法で加工することによって用意されてもよく、既存の物品が支持部材５として用意されてもよい。保持部材４は、たとえば、接着剤８を用いて、支持部材５に接合される。必要に応じて保持部材４が支持部材５に向って加圧される。また、必要な場合は、接着剤８の硬化のために加熱処理が行われる。接着剤８は、保持部材４の接合面および支持部材５の表面５ａのいずれかまたは両方に塗布されてもよく、図１２Ａに示されるように、枠状のシートの形態に成型されたうえで、保持部材４と支持部材５との間に置かれてもよい。接着剤８は、アクリル系やシリコーン系またはウレタン系などの任意の接着剤が用いられる。
【００７２】
表示パネル３の基板２は、図１２Ａに示される例では、弱粘着層６を介して支持部材５の表面５ａに密着される。すなわち、実施形態１の表示装置の製造方法は、支持部材５の表面５ａ、または、基板２における表示素子３ａに向く面の反対面に、粘着剤から構成される弱粘着層６を形成することをさらに含んでいてもよい。弱粘着層６は、たとえば、粘着剤を用いて形成された弱粘着シートを、支持部材５の表面５ａ、または、基板２における表示素子３ａに向く面の反対面に配置することによって形成され得る。弱粘着層６を構成する粘着剤は、アクリル系、シリコーン系またはウレタン系の樹脂を単独で、または複数組み合わせて主成分として含み得る。弱粘着層６を形成することによって、基板２は、弱粘着層６を介して、保持部材４と支持部材５の表面５ａとの間の接着強度よりも弱い強度で、支持部材５の表面５ａに密着される。
【００７３】
表示パネル３の基板２は、気泡などを巻き込まずに、支持部材５に密着されるのが好ましい。従って、図１２Ｃに示されるように、表示パネル３は、撓まされた状態で、その一端から順に支持部材５の表面５ａの上に載置される。この際、図１２Ｃに示されるように、保持部材４も撓む必要がある。可撓性を有するように保持部材４を形成することは、このように気泡を巻き込み難い方法で表示パネル３が支持部材５に載置され得る点で好ましい。たとえば、以上の工程を経ることによって、表示装置１が完成する。
【００７４】
なお、枠状の保持部材４が用意される際に、保持部材４における枠状の形状の内側および外側に通じる貫通孔４１ａ（図１０Ａ参照）、または貫通孔４１ｂおよび溝４２（図１０Ｂ参照）が保持部材４に形成されてもよい。その場合、実施形態１の表示装置の製造方法は、保持部材４を支持部材５の表面５ａに接合した後に、貫通孔４１ａまたは貫通孔４１ｂおよび溝４２を用いて、保持部材５における枠状の形状の内側から気体を吸引することを含んでいてもよい。そして、そのような吸引によって、基板２が支持部材５の表面５ａに密着されてもよい。保持部材４に囲まれた空間Ｓが減圧状態乃至は真空状態となることによって、基板２がいっそう良好に支持部材５に密着し得る。また、空間Ｓの内部の空気やその中の水分が、表示パネル３と支持部材５との界面に入り込むことが防止され得る。なお、貫通孔４１ａ、４１ｂや溝４２は、たとえば、保持部材４の形成時に用いられる成型用金型に、貫通孔４１ａ、４１ｂや溝４２に対応した突起部を設けることや、保持部材４の形成後にドリルなどで切削加工を行うことなどによって形成され得る。また、枠状の保持部材５の内側からの気体の吸引は、たとえば、吸引ポンプなどの任意の吸引手段を用いて行われ得る。吸引後の空間Ｓの内部への空気の流入が、閉塞部材４４（図１０Ａおよび図１０Ｂ参照）によって防がれ得る。
【００７５】
図１３には、実施形態１の表示装置の製造方法の他の例が示されている。図１３に示される製造方法の例によって、たとえば図８に示される例の表示装置１が製造され得る。従って、図１３に示される保持部材４は、その枠状の形状の各辺においてＬ字状の断面形状を有している。また、保持部材４と支持部材５との接合時には、表示パネル３と配線９との接続部は、保持部材４と配線９とが相対する部分に形成される凹部４ａ（図８）の内部に収容される。また、図１３に示される例では、保持部材４は配線９と相対する部分において支持部材５と当接しないため、接着剤８は、表示パネル３の外縁の全周に渡って設けられずに不連続部分８ａを有するように塗布または配置されている。
【００７６】
また、図１３に示される例は、保持部材４が、表示パネル３において配線９が接続された面から表示パネル３に係合される点で図１２Ａに示される例と異なっている。図１３に示される保持部材４は、前述のように各辺においてＬ字型の断面形状を有しているため、表示パネル３における配線９と接続されている面と対向する位置から、表示パネル３に係合され得る。従って、保持部材４と表示パネル３との係合、保持部材４と支持部材５との接合、および表示パネル３の基板２と支持部材５の表面５ａとの密着が効率的に行われ得る。なお、実施形態１の表示装置の製造方法において、弱粘着層６は必ずしも形成されなくてもよい。すなわち、表示パネル３と支持部材５の「密着」は、前述のように、保持部材４による押圧、静電気作用、減圧吸着作用などによってもたらされてもよい。
【００７７】
＜まとめ＞
本発明の態様１の構成によると、支持部材に固定されて用いられる表示パネルを容易に支持部材から取り外すことができる。
【００７８】
本発明の態様２の構成によると、表示パネルの中を通って表示パネルと支持部材との界面まで達するような水分の浸透を少なくすることができる。
【００７９】
本発明の態様３の構成によると、表示パネルの中を通って表示パネルと支持部材との界面まで達するような水分の浸透を極めて少なくすることができる。
【００８０】
本発明の態様４の構成によると、バリア性能が高く、かつ、クラックなどの生じ難い第一バリア膜を得ることができる。
【００８１】
本発明の態様５の構成によると、表示素子上の異物などの影響を受け難い安定した品質の第二バリア膜を得ることができる。
【００８２】
本発明の態様６の構成によると、窒化ケイ素膜または窒化酸化ケイ素膜と有機膜との密着性を向上させることができる。
【００８３】
本発明の態様７の構成によると、表示パネルと支持部材とを略確実に密着させることができる。
【００８４】
本発明の態様８の構成によると、表示装置の使用中に表示パネルが支持部材から剥離し難く、かつ、意図的に表示パネルを支持部材から剥離する際には、容易に両者を分離することができる。
【００８５】
本発明の態様９の構成によると、表示パネルの取り外しの際に、表示パネルおよび支持部材のうちの所望のいずれかに弱粘着層を残すことができる。
【００８６】
本発明の態様１０の構成によると、表示パネルの取り外しの際に、表示パネルおよび支持部材のうちの所望のいずれかに、弱粘着層をより確実に残すことができる。
【００８７】
本発明の態様１１の構成によると、表示パネルの取り外しの際に表示パネルに弱粘着層を残すことができる。
【００８８】
本発明の態様１２の構成によると、二次曲面である支持部材の表面に表示パネルを密着させることができる。
【００８９】
本発明の態様１３の構成によると、保持部材が安定して支持部材に固定される。
【００９０】
本発明の態様１４の構成によると、表示装置のユーザが、態様１４の構成によらなければ表示装置によって視界が遮られてしまう領域の光景を見ることが可能となり得る。
【００９１】
本発明の態様１５の構成によると、表示装置のユーザが、態様１５の構成によらなければ保持部材によって視界が遮られてしまう領域の光景を見ることが可能となり得る。
【００９２】
本発明の態様１６の構成によると、フロントガラスおよび表示パネルのいずれかが破損した場合には、破損していない表示パネルまたはフロントガラスに大きなダメージを与えずに、表示パネルをフロントガラスから取り外すことができる。
【００９３】
本発明の態様１７の構成によると、表示パネルと支持部材とを一層強固に密着させることができる。
【００９４】
本発明の態様１８の構成によると、ドライバと表示パネルとを容易に分離することができる。
【００９５】
本発明の態様１９の構成によると、表示パネルを容易に外部の支持体に密着させて使用することができ、また、使用後に容易に支持体から取り外すことができる。
【符号の説明】
【００９６】
１、１ａ    表示装置
２    基板
３    表示パネル
３７    第一バリア膜
３７ａ  窒化ケイ素膜
３７ｂ  酸化ケイ素膜
３８    第二バリア膜
３８ａ  窒化ケイ素膜
３８ｂ  酸化ケイ素膜
３８ｃ  有機膜
３ａ  表示素子
４    保持部材
４１ａ、４１ｂ  貫通孔
４２  溝
４４  閉塞部材
５    支持部材
５ａ  表面
６    弱粘着層
７    強粘着層
８    接着剤
９    配線
９１  端子
９ａ  コネクタ
ＤＲ  ドライバ
【図１】
2019049687.tif 000003
【図２】
2019049687.tif 000004
【図３】
2019049687.tif 000005
【図４】
2019049687.tif 000006
【図５Ａ】
2019049687.tif 000007
【図５Ｂ】
2019049687.tif 000008
【図６】
2019049687.tif 000009
【図７Ａ】
2019049687.tif 000010
【図７Ｂ】
2019049687.tif 000011
【図８】
2019049687.tif 000012
【図９Ａ】
2019049687.tif 000013
【図９Ｂ】
2019049687.tif 000014
【図１０Ａ】
2019049687.tif 000015
【図１０Ｂ】
2019049687.tif 000016
【図１１Ａ】
2019049687.tif 000017
【図１１Ｂ】
2019049687.tif 000018
【図１２Ａ】
2019049687.tif 000019
【図１２Ｂ】
2019049687.tif 000020
【図１２Ｃ】
2019049687.tif 000021
【図１３】
2019049687.tif 000022